(57)【要約】【課題】本発明は各種音響機器に使用されるスピーカに関するものであり、スピーカの磁気回路の振動による音質の劣化を抑制した高品質のスピーカの提供を目的とするものである。【解決手段】本発明のスピーカは、フレーム本体１５と取付部１５ａの間の隙間に弾性体１５ｂを配置したものであり、この弾性体１５ｂによって取付部１５ａやこの取付部１５ａを装着したバッフル板８への振動の伝達を減衰させ、取付部１５ａやバッフル板８から発生する不要振動の減少や振動板４が不要振動を受けて発生していた混変調歪を減少させた高品質のスピーカの提供を可能とするものである。【選択図】  図１
2004274224.tif 000002
【特許請求の範囲】
【請求項１】
外周に装着用の取付部を有するフレームの中央に設けられた磁気ギャップを有する磁気回路と、この磁気回路の前記磁気ギャップに挿入されるボイスコイルと、外周が前記フレームに、内周が前記ボイスコイルに接着結合されるダンパーと、内周が前記ボイスコイルに接着結合され、外周がエッジを介して前記フレームに接着結合された振動板とで構成されるスピーカであって、前記フレームが前記エッジの前記フレームとの接合部分より外周で、且つ前記取付部より内周の位置で弾性体によりその内周側と外周側が連結されている構成のスピーカ。
【請求項２】
内周側と外周側の隙間に弾性体を充填してフレームを形成した請求項１に記載のスピーカ。
【請求項３】
フレームの内周側または外周側の互いに対向する面の少なくとも一方の下端に対向する面側に突出させた延長部を設けた請求項２に記載のスピーカ。
【請求項４】
フレームの内周側と外周側の隙間の一部を橋絡した請求項２または請求項３に記載のスピーカ。
【発明の詳細な説明】
【０００１】
【発明の属する技術分野】
本発明は各種音響機器に使用されるスピーカに関するものである。
【０００２】
【従来の技術】
従来のスピーカを図４のスピーカの半断面図および図５の従来技術の展開例の部分拡大断面図により説明する。
【０００３】
同図によると、１はヨーク１ａと、このヨーク１ａの中央部上に接着結合された環状のマグネット１ｂと、その上に接着結合された上部プレート１ｃとで構成され、上部プレート１ｃの内周側面とヨーク１ａの外周側面との間に磁気ギャップ１ｄを形成した磁気回路であり、２は前記磁気回路１に接着結合されたフレームであり、４は内周を前記磁気回路１の磁気ギャップ１ｄにコイル部３ａを嵌め込むボイスコイル３に接着結合し、外周をエッジ部４ａを介して前記フレーム２に接着結合する振動板であり、４ｂはダストキャップであり、５は前記ボイスコイル３を上下動可能に支持するダンパーである。
【０００４】
２ａはフレーム２の外周に設けられた取付孔２ｂを有する取付部であり、ガスケット７を介してバッフル板８にねじ９により、スピーカをバッフル板８に固着するものである。
【０００５】
図５はこの従来のスピーカの展開例のスピーカであり、駆動時の振動の外周部分への影響の抑制を図ったものであり、図４との相違点のみ説明すると、１０はフレームであり、１０ａは前記フレーム１０と分離した外周側の取付部であり、フレーム１０と取付部１０ａを弾性体からなるガスケット１０ｂで組み合わせるものであり、ビス１１でフレーム１０とバッフル板８を固着するものである（例えば特許文献１参照）。
【０００６】
上述の構成のごとく取付部１０ａをフレーム１０から分離して別部材とし、弾性体のガスケット１０ｂを介して組み合わせることで、取付部１０ａの振動を抑制し、取付部１０ａからの不要音放射レベルの低減を図るものである。
【０００７】
【特許文献１】
実開平２−９３８９４号公報
【０００８】
【発明が解決しようとする課題】
近年、スピーカは軽量化の傾向にあり、特に、車載用においては省資源、燃費向上のために部品の軽量化の要望が強く、磁気回路に使用されるマグネット１ｂのフェライトマグネットから高磁力を有するネオジウムマグネットを用いて小型・軽量化や、フレーム２の材質（鉄・アルミダイカスト）を樹脂とし、且つ極力薄肉化を図って軽量化を図ることになる。しかしながら、フレーム２，１０を樹脂成形等の軽量化を図った上で磁気回路１の振動を抑制するには前述したいずれの構成でも限界があった。
【０００９】
本発明はこのような課題を解決して、磁気回路側の振動がフレームを介してスピーカの取付部からバッフル板に伝わり、音質の劣化を招いたり、また、このバッフル板の振動がスピーカ本体に戻って新たな不要振動を発生させて音質を劣化させることを防止することを目的とするものである。
【００１０】
【課題を解決するための手段】
上記課題を解決するために、本発明の請求項１に記載のスピーカは、外周に装着用の取付部を有するフレームのエッジのフレームとの接合部分より外周で、且つ前記取付部より内周の位置で弾性体によりその内周側と外周側が連結してフレームを構成したスピーカであり、磁気回路の振動を前記弾性体が取付部やこの取付部を装着したバッフル板への振動の伝達を減衰させ、また、スピーカ本体のボイスコイルの反作用を吸収する方向で振動して、不要振動のエネルギーを消費し、取付部やバッフル板から発生する不要振動の減少や振動板が不要振動を受けて発生していた混変調歪を減少させることのできる高品質スピーカの提供を可能とするものである。
【００１１】
本発明の請求項２に記載のスピーカは、請求項１に記載のスピーカのフレームの弾性体をフレームの内周側と外周側の隙間に充填して設けるものであり、弾性体を樹脂等の充填により極めて容易に形成できるものである。
【００１２】
本発明の請求項３に記載のスピーカは、請求項２に記載のフレームの内周側または外周側の互いに対向する面の少なくとも一方の下端に対向する面側に突出させた延長部を設けたものであり、延長部により充填時のたれを防止し、弾性体の形成を容易に行えるようにできるものである。
【００１３】
本発明の請求項４に記載のスピーカは、請求項２または請求項３に記載のフレームの内周側と外周側の隙間の一部を橋絡して一体化したものであり、フレームの内外周を一体化して形成し、フレームの内外周の部分の位置関係を容易に維持でき、弾性体形成時の充填作業の作業性の向上を図るものである。
【００１４】
【発明の実施の形態】
以下、本発明のスピーカの一実施の形態について図１から図３により説明する。なお、説明にあたっては従来技術と同一部分には同一番号を付与し説明を省略して説明する。
【００１５】
（実施の形態１）
図１は本発明の一実施の形態のスピーカの半断面図であり、主として請求項１および請求項２について説明するものである。
【００１６】
同図により従来技術との相違点のみ説明すると、相違点はフレームの構成にあり、本実施の形態においては、従来のフレーム２と同機能を有する部分はフレーム本体１５と、その外周側に環状に設けられたねじ９によりバッフル板８にガスケット７を介してスピーカを取り付ける取付孔１５ｃを有する取付部１５ａと、前記フレーム本体１５と前記取付部１５ａを連結結合する弾性体１５ｂから構成されている。
【００１７】
スピーカを駆動させたときボイスコイル３が振動し、反作用で磁気回路１が反対方向に振動し、フレーム本体１５は不要振動を発生するが、弾性体１５ｂをフレーム本体１５と取付部１５ａ間に介在させているので前記不要振動の取付部１５ａやバッフル板８への伝達は減衰・抑制される。また、スピーカのボイスコイル３の反作用を吸収する方向で振動して不要振動のエネルギーを消費することになる。
【００１８】
以上の結果、取付部１５ａやバッフル板８から発生していた不要音放射を減衰させると共に、振動板４への不要振動の影響も抑制して混変調歪も減少させることができるものである。
【００１９】
なお、弾性体１５ｂにはゴムやエラストマーの他に型内にフレーム本体１５と取付部１５ａを配置し、その隙間にシリコン系等の合成ゴムであって硬化後も弾性力を有する樹脂を充填して形成することも可能であり、弾性体としてはフレーム本体と取付部を一体化するときに同時に形成されるので、部品としての管理も不要で、且つ充填という容易な方法での形成が可能となるものである。
【００２０】
（実施の形態２）
本発明の他の実施の形態のスピーカを図２のスピーカの半断面図により主として請求項３について説明する。
【００２１】
同図により実施の形態１との相違点について説明すると、相違点はフレームの環状の取付部１５ａの形状であり、取付部１５ａのフレーム本体１５との対向面となる内周側の下端にフレーム本体１５側に向けて延長部１５ｄを設けた点である。
【００２２】
この延長部１５ｄはフレーム本体１５に接触することなく全周に亘って設けられているが、弾性体１５ｂを充填によって形成するときに流れ出ることを防止すると共に、弾性体１５ｂの形成時のスピーカ本体１５と取付部１５ａをセッティングする金型の簡素化も図れるものである。
【００２３】
なお、本実施の形態では延長部１５ｄは取付部１５ａの内周側下端に設けたが、フレーム本体１５の取付部１５ａと対向する外周側下端に取付部１５ａ側に向けて突出させて設けても良いものである。
【００２４】
（実施の形態３）
本発明の他の実施の形態を図３のスピーカの部分上面図により主として請求項４について説明する。
【００２５】
同図により実施の形態２との相違点についてのみ説明すると、相違点はフレーム本体１５と取付部１５ａの隙間に両者を橋絡するリブ１５ｅを一体に設けた点であり、この構成によりフレーム本体１５と取付部１５ａを成形により同金型で一体に成形できて部品点数の削減が図れると共に、取り扱いや両者の隙間の保持や形状の保持が極めて容易に行えるものである。
【００２６】
なお、このリブ１５ｅは弾性体１５ｂの振動吸収作用を減衰するものであるため極力減衰を抑えるために必要最小限の数と形状寸法にすべきであり、弾性体の効果とその減衰の程度の中で適宜選択すべきである。
【００２７】
【発明の効果】
以上のように本発明のスピーカは弾性体によって、スピーカの軽量化の傾向の中で不要振動の抑制と音質の向上に寄与するものである。
【図面の簡単な説明】
【図１】本発明の一実施の形態のスピーカの半断面図
【図２】同他の実施の形態のスピーカの半断面図
【図３】同他の実施の形態のスピーカの部分上面図
【図４】従来のスピーカの半断面図
【図５】従来のスピーカの展開例の部分拡大断面図
【符号の説明】
１  磁気回路
１ｄ  磁気ギャップ
３  ボイスコイル
４  振動板
４ａ  エッジ部
５  ダンパー
１５  フレーム本体
１５ａ  取付部
１５ｂ  弾性体
１５ｄ  延長部
１５ｅ  リブ
【図１】
2004274224.tif 000003
【図２】
2004274224.tif 000004
【図３】
2004274224.tif 000005
【図４】
2004274224.tif 000006
【図５】
2004274224.tif 000007